(57)【要約】【課題】都市ゴミ焼却灰が貯蔵されたコンテナ内において水素濃度が上昇することを抑制し得る都市ゴミ焼却灰貯蔵用コンテナ及びそれを用いた都市ゴミ焼却灰の貯蔵方法を提供する。【解決手段】コンテナ本体１０と、水素酸化機構３とを備える。コンテナ本体１０には、都市ゴミ焼却灰２が貯蔵される。水素酸化機構３は、コンテナ本体１０内において発生した水素を酸化する。【選択図】図１
2019026361.tif 000002
【特許請求の範囲】
【請求項１】
都市ゴミ焼却灰貯蔵用コンテナであって、
都市ゴミ焼却灰が貯蔵されるコンテナ本体と、
前記コンテナ本体内において発生した水素を酸化する水素酸化機構と、
を備える、都市ゴミ焼却灰貯蔵用コンテナ。
【請求項２】
前記水素酸化機構が、前記コンテナ本体の内壁面のうち、貯蔵された都市ゴミ焼却灰よりも上方に設けられている、請求項１に記載の都市ゴミ焼却灰貯蔵用コンテナ。
【請求項３】
前記水素酸化機構が、前記コンテナの天井に設けられている、請求項１又は２に記載の都市ゴミ焼却灰貯蔵用コンテナ。
【請求項４】
前記水素酸化機構は、水素酸化触媒又は水素酸化剤を有する、請求項１〜３のいずれか一項に記載の都市ゴミ焼却灰貯蔵用コンテナ。
【請求項５】
請求項１に記載の都市ゴミ焼却灰貯蔵用コンテナを用いて都市ゴミ焼却灰を貯蔵する、都市ゴミ焼却灰の貯蔵方法。
【請求項６】
前記水素酸化機構を、前記コンテナ本体の内壁面のうち、貯蔵された都市ゴミ焼却灰よりも上方に設ける、請求項５に記載の都市ゴミ焼却灰の貯蔵方法。
【請求項７】
前記水素酸化機構を、前記コンテナ本体の天井に設ける、請求項５又は６に記載の都市ゴミ焼却灰の貯蔵方法。
【請求項８】
前記水素酸化機構は、水素酸化触媒又は水素酸化剤を有する、請求項５〜７のいずれか一項に記載の都市ゴミ焼却灰の貯蔵方法。
【請求項９】
前記コンテナを屋内に配する、請求項５〜８のいずれか一項に記載の都市ゴミ焼却灰の貯蔵方法。
【発明の詳細な説明】
【技術分野】
【０００１】
本発明は、都市ゴミ焼却灰貯蔵用コンテナ及びそれを用いた都市ゴミ焼却灰の貯蔵方法に関する。
【背景技術】
【０００２】
都市ゴミ焼却灰を再資源化する際、都市ゴミ焼却灰を再資源化する施設まで都市ゴミ焼却灰を運搬する必要がある。また、都市ゴミ焼却灰を一時的に貯留する必要がある場合がある。この場合、都市ゴミ焼却灰をコンテナなどを用いて運搬、貯蔵することがある。
【先行技術文献】
【特許文献】
【０００３】
【特許文献１】特開２００６−２７３４１２号公報
【発明の概要】
【発明が解決しようとする課題】
【０００４】
ところで、特許文献１には、都市ゴミ焼却灰などの廃棄物から、水素が発生する虞があることが記載されている。このため、コンテナ内に都市ゴミ焼却灰配して、運搬したり、貯蔵したりした場合に、コンテナ内の水素濃度が高くなる虞や、コンテナが配された空間（例えば、船倉、倉庫等）にコンテナから水素が流出し、その空間において水素濃度が高くなる虞がある。従って、都市ゴミ焼却灰が貯蔵されたコンテナ内において水素濃度が高くなることを抑制したいという要望がある。
【０００５】
本発明の主な目的は、都市ゴミ焼却灰が貯蔵されたコンテナ内において水素濃度が上昇することを抑制し得る都市ゴミ焼却灰貯蔵用コンテナ及びそれを用いた都市ゴミ焼却灰の貯蔵方法を提供することにある。
【課題を解決するための手段】
【０００６】
本発明に係る都市ゴミ焼却灰貯蔵用コンテナは、都市ゴミ焼却灰貯蔵用コンテナである。本発明に係る都市ゴミ焼却灰貯蔵用コンテナは、コンテナ本体と、水素酸化機構とを備える。コンテナ本体には、都市ゴミ焼却灰が貯蔵される。水素酸化機構は、コンテナ本体内において発生した水素を酸化する。
【０００７】
本発明に係る都市ゴミ焼却灰貯蔵用コンテナでは、水素酸化機構が、コンテナ本体の内壁面のうち、貯蔵された都市ゴミ焼却灰よりも上方に設けられていてもよい。
【０００８】
本発明に係る都市ゴミ焼却灰貯蔵用コンテナでは、水素酸化機構が、コンテナの天井に設けられていてもよい。
【０００９】
本発明に係る都市ゴミ焼却灰貯蔵用コンテナでは、水素酸化機構が、水素酸化触媒又は水素酸化剤を有することが好ましい。
【００１０】
本発明に係る都市ゴミ焼却灰の貯蔵方法は、本発明に係る都市ゴミ焼却灰貯蔵用コンテナを用いて都市ゴミ焼却灰を貯蔵する。
【００１１】
本発明に係る都市ゴミ焼却灰の貯蔵方法では、水素酸化機構を、コンテナ本体の内壁面のうち、貯蔵された都市ゴミ焼却灰よりも上方に設けてもよい。
【００１２】
本発明に係る都市ゴミ焼却灰の貯蔵方法では、水素酸化機構を、コンテナ本体の天井に設けてもよい。
【００１３】
本発明に係る都市ゴミ焼却灰の貯蔵方法では、水素酸化機構が、水素酸化触媒又は水素酸化剤を有することが好ましい。
【００１４】
本発明に係る都市ゴミ焼却灰の貯蔵方法では、コンテナを屋内に配してもよい。
【発明の効果】
【００１５】
本発明によれば、都市ゴミ焼却灰が貯蔵されたコンテナ内において水素濃度が上昇することを抑制し得る都市ゴミ焼却灰貯蔵用コンテナ及びそれを用いた都市ゴミ焼却灰の貯蔵方法を提供することができる。
【図面の簡単な説明】
【００１６】
【図１】第１の実施形態に係る都市ゴミ焼却灰貯蔵用コンテナの模式図である。
【図２】第２の実施形態に係る都市ゴミ焼却灰貯蔵用コンテナの模式図である。
【図３】第３の実施形態に係る都市ゴミ焼却灰貯蔵用コンテナの模式図である。
【図４】第４の実施形態に係る都市ゴミ焼却灰貯蔵用コンテナの模式図である。
【発明を実施するための形態】
【００１７】
以下、本発明を実施した好ましい形態の一例について説明する。但し、下記の実施形態は、単なる例示である。本発明は、下記の実施形態に何ら限定されない。
【００１８】
また、実施形態等において参照する各図面において、実質的に同一の機能を有する部材は同一の符号で参照することとする。また、実施形態等において参照する図面は、模式的に記載されたものである。図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１９】
（第１の実施形態）
〔都市ゴミ焼却灰貯蔵用コンテナ〕
都市ゴミ焼却灰は、再資源化される場合がある。都市ゴミ焼却灰を再資源化する場合には、都市ゴミ焼却灰を再資源化する施設まで都市ゴミ焼却灰を運搬する必要がある場合がある。都市ゴミ焼却灰の運搬手段としてはトラック、鉄道及び船等が用いられるが、いずれの場合も都市ゴミ焼却灰の飛散や漏洩を防止する為に密閉型のコンテナが多用される。また、密閉型のコンテナには都市ゴミ焼却灰の一時的貯蔵の機能もある。
【００２０】
本実施形態では、都市ゴミ焼却灰を貯蔵するコンテナとして、図１に示す都市ゴミ焼却灰貯蔵用コンテナ１を用いる。
【００２１】
図１は、第１の実施形態に係る都市ゴミ焼却灰貯蔵用コンテナの模式図である。
【００２２】
都市ゴミ焼却灰貯蔵用コンテナ１は、コンテナ本体１０を備える。コンテナ本体１０には、都市ゴミ焼却灰２が貯蔵される。
【００２３】
ところで、都市ゴミ焼却灰を輸送する際は輸送途中の飛散や荷卸しによる発塵を防止するため、都市ゴミ焼却灰を予め水で湿らせることが多い。金属アルミニウムが含まれている場合は、金属アルミニウムと水とが反応し、水素が発生する場合がある。従って、都市ゴミ焼却灰をコンテナ内に貯蔵した場合は、コンテナ内の水素濃度が高くなる虞がある。
【００２４】
また、例えば、都市ゴミ焼却灰が貯蔵されたコンテナを船倉、倉庫等の屋内に載置した場合、コンテナから放出される水素により、屋内の水素濃度が上昇する虞もある。
【００２５】
そこで、都市ゴミ焼却灰貯蔵用コンテナ１では、コンテナ本体１０内において発生した水素を酸化処理する、水素酸化機構３を備える。
【００２６】
このため、コンテナ本体１０内で水素が発生したとしても、水素酸化機構３が水素を酸化させて水を生成させる。よって、コンテナ本体１０内において水素濃度が高くなることを抑制することができる。
【００２７】
具体的には、本実施形態では、水素酸化機構３が、コンテナ本体１０のうち、貯蔵された都市ゴミ焼却灰２よりも上方に設けられている。水素は比重が低く、コンテナ本体１０の上方の空間に移動する。このため、水素と水素酸化機構３との接触効率を高めることができる。従って、水素濃度が上昇することがより効果的に抑制される。
【００２８】
水素酸化機構３は、水素酸化触媒又は水素酸化剤を有していることが好ましい。
【００２９】
（水素酸化触媒）
好ましく用いられる水素酸化触媒としては金属酸化触媒が挙げられる。
【００３０】
好ましく用いられる金属酸化触媒としては、具体的には、白金、パラジウム等の貴金属触媒や、白金ルテニウム等の合金触媒が挙げられる。なお、これらの触媒は非常に高価な素材である為、微粒子にした上で、ガラス繊維、カーボンブラック及びアルミナ等に担持させて用いることが好ましい。
【００３１】
これらの金属酸化触媒を用いる場合は、水素酸化機構３に配された金属酸化触媒の触媒反応が好適に進行する温度に保つために、加熱装置を設けてもよい。
【００３２】
（水素酸化剤）
好ましく用いられる水素酸化剤の具体例としては、例えば、
塩素酸カリウム、塩素酸ナトリウム、塩素酸アンモニウム、塩素酸パリウム、塩素酸カルシウム等の塩素酸塩類、
過塩素酸カリウム、過塩素酸ナトリウム、過塩素酸アンモニウム等の過塩素酸塩類、
過酸化カリウム、過酸化ナトリウム、過酸化カルシウム、過酸化マグネシウム、過酸化バリウム等の無機過酸化物、
亜塩素酸カリウム、亜塩素酸ナトリウム、亜塩素酸銅等の亜塩素酸塩類、
臭素酸カリウム、臭素酸ナトリウム、臭素酸マグネシウム等の臭素酸塩類、
硝酸アンモニウム、硝酸ナトリウム、硝酸カリウム、硝酸パリウム、硝酸銀等の硝酸塩類、
よう素酸カリウム、よう素酸ナトリウム、よう素酸カルシウム等のよう素酸塩類、
過マンガン酸カリウム、過マンガン酸アンモニウム等の過マンガン酸塩類、
重クロム酸ナトリウム、重クロム酸アンモニウム等の重クロム酸塩類、
等が挙げられる。過よう素酸ナトリウム、メタ過よう素酸、二酸化クロム、二酸化鉛、亜硝酸ナトリウム、次亜塩素酸カリウム、次亜塩素酸ナトリウム、ペルオキソニ硫酸カリウム、ペルオキソニ硫酸ナトリウム、ペルオキソニ硫酸アンモニウム、ペルオキソほう酸カリウム、ペルオキソほう酸アンモニウム等も酸化剤として好ましく用いられる。
【００３３】
上記水素酸化剤の一種のみを用いてもよいし、複数種類を混合して用いてもよい。
【００３４】
上記水素酸化剤は、希釈物質と混合した後に混合粉を粉体のまま用いてもよいし、粒状にしたものを用いてもよい。
【００３５】
〔都市ゴミ焼却灰の貯蔵方法〕
本実施形態に係る都市ゴミ焼却灰の貯蔵方法では、本実施形態に係る都市ゴミ焼却灰貯蔵用コンテナ１を用いて、都市ゴミ焼却灰２を貯蔵する。
【００３６】
具体的には、まず、コンテナ本体１０内に都市ゴミ焼却灰２を投入する。図１に示すように、コンテナ本体１０の天井には、水素酸化機構３が設けられている。このため、コンテナ本体１０の上方に上昇した比重の低い水素が、水素酸化機構３により酸化される。よって、コンテナ本体１０内の水素濃度が上昇することを抑制することができる。
【００３７】
本実施形態における都市ゴミ焼却灰貯蔵用コンテナ１を用いて都市ゴミ焼却灰２を貯蔵することにより、コンテナ本体１０内の水素濃度の上昇を抑制できる。このため、船倉、倉庫等の屋内に都市ゴミ焼却灰貯蔵用コンテナ１を載置した場合は、屋内の水素濃度の上昇を抑制できる。
【００３８】
以下、本発明の好ましい実施形態の他の例について説明する。以下の説明において、上記第１の実施形態と実質的に共通の機能を有する部材を共通の符号で参照し、説明を省略する。
【００３９】
（第２の実施形態）
図２は、第２の実施形態に係る都市ゴミ焼却灰貯蔵用コンテナ１ａの模式図である。第１の実施形態では、水素酸化機構３がコンテナ本体１０の天井に設けられている例について説明した。但し、本発明はこの構成に限定されない。
【００４０】
図２に示すように、水素酸化機構３が、コンテナ本体１０の内壁面のうち、貯蔵された都市ゴミ焼却灰２よりも上方に設けられている。この場合であっても、水素酸化機構３において、都市ゴミ焼却灰２から発生した水素を酸化することができる。このため、コンテナ本体１０内の水素濃度が上昇することを抑制することができる。
【００４１】
（第３の実施形態）
図３は、第３の実施形態に係る都市ゴミ焼却灰貯蔵用コンテナ１ｂの模式図である。
【００４２】
第１及び第２の実施形態では、コンテナ本体１０内に水素酸化機構３が設けられている例について説明した。但し、本発明はこの構成に限定されない。
【００４３】
第３の実施形態では、コンテナ本体１０の外側に水素酸化機構３が設けられている。この場合、コンテナ本体１０内の空気を循環させる循環機構４が設けられていてもよい。
【００４４】
図３に示すように、本実施形態では、コンテナ本体１０の外部に、循環機構４として、循環ファンが設けられている。循環ファンによりコンテナ１０内から吸気された空気は、循環ファンに接続された水素酸化機構３に送り込まれる。送り込まれた空気中に含まれる水素は、水素酸化機構３により酸化される。その後、空気はコンテナ本体内１０に戻される。
【００４５】
このように、水素酸化機構３がコンテナ本体１０の外部に設けられている場合であっても、コンテナ本体１０内の水素濃度が上昇することを抑制することができる。
【００４６】
（第４の実施形態）
図４は、第４の実施形態に係る都市ゴミ焼却灰貯蔵用コンテナ１ｃの模式図である。
【００４７】
第３の実施形態では、コンテナ本体１０内の空気を循環させる循環機構４が設けられている例について説明した。但し、本発明はこの構成に限定されない。
【００４８】
本実施形態では、コンテナ本体１０の外部に、水素酸化機構３が接続されており、水素酸化機構３に、排気ファン５が接続されている。この場合、コンテナ本体１０内の空気を水素酸化機構３で酸化した後に、外部に排出する。排出された空気中の水素濃度が低いため、本実施形態に係る都市ゴミ焼却灰貯蔵用コンテナ１ｃを船倉等の屋内に配した場合であっても、屋内の水素濃度が上昇することを抑制することができる。
【符号の説明】
【００４９】
１ａ、１ｂ、１ｃ：  都市ゴミ焼却灰貯蔵用コンテナ
１０：  コンテナ本体
２：  都市ゴミ焼却灰
３：  水素酸化機構
４：  循環機構
５：  排気ファン
【図１】
2019026361.tif 000003
【図２】
2019026361.tif 000004
【図３】
2019026361.tif 000005
【図４】
2019026361.tif 000006